(57)【要約】【課題】ユーザの設定による消費電力の変化を、ユーザに容易に把握させることができる表示装置を提供する。【解決手段】本発明の表示装置１は、自装置における消費電力に関する情報を取得する消費電力情報取得部５１と、消費電力に関する情報を表示用の情報に変換する消費電力情報変換部５２と、自装置における所定の機能に応じたパラメータを調整するための調整項目を画面上に表示する表示部６１と、表示された調整項目に対するユーザによる入力に基づき、当該調整項目に対応する上記パラメータの値を調整する制御部４０と、ユーザによる入力を受付けたとき、調整前の上記パラメータ値に対応する表示用の情報と、調整後のパラメータ値に対応する表示用の情報とを、互いに関連付けて画面上に表示する表示部６１とを備えている。【選択図】図１
2011133571.tif 000002
【特許請求の範囲】
【請求項１】
自装置における消費電力に関する情報を取得する取得手段と、
上記消費電力に関する情報を表示用の情報に変換する変換手段と、
上記自装置における所定の機能に応じたパラメータを調整するための調整項目を画面上に表示する調整項目表示手段と、
表示された上記調整項目に対するユーザによる入力に基づき、当該調整項目に対応する上記パラメータの値を調整するパラメータ値調整手段と、
上記ユーザによる入力を受付けたとき、調整前の上記パラメータ値に対応する上記表示用の情報と、調整後の上記パラメータ値に対応する上記表示用の情報とを、互いに関連付けて上記画面上に表示する表示手段とを備えていることを特徴とする表示装置。
【請求項２】
取得した上記消費電力に関する情報に基づき、ある一定期間における二酸化炭素の排出量に関する情報を取得する排出量取得手段をさらに備え、
上記表示手段は、取得された上記二酸化炭素の排出量に関する情報を関連情報としてさらに表示することを特徴とする請求項１に記載の表示装置。
【請求項３】
取得した上記消費電力に関する情報を累積記憶する記憶手段と、
累積記憶された上記消費電力に関する情報から、累積の消費電力量を求める累積消費電力量算出手段とを備え、
上記表示手段は、上記累積の消費電力量を関連情報としてさらに表示することを特徴とする請求項１または２に記載の表示装置。
【請求項４】
ある一定期間に上記自装置において消費される消費電力量の目標値の設定を受付ける設定受付手段を備え、
上記表示手段は、上記ある一定期間内における上記累積の消費電力量が、設定された上記目標値を超える場合、当該目標値を超えることを説明するための説明情報をさらに表示することを特徴とする請求項３に記載の表示装置。
【請求項５】
上記ある一定期間内における上記累積の消費電力量が、設定された上記目標値を超えた場合、上記消費電力量が低減するよう上記自装置における動作を制御する制御手段をさらに備えていることを特徴とする請求項４に記載の表示装置。
【請求項６】
上記表示手段は、起動時に上記関連情報を表示することを特徴とする請求項３〜５のいずれか１項に記載の表示装置。
【請求項７】
上記画面の輝度を測定する輝度測定手段をさらに備え、
上記取得手段は、測定された上記輝度に基づき上記消費電力を算出することにより、当該輝度における上記消費電力に関する情報を取得することを特徴とする請求項１〜６のいずれか１項に記載の表示装置。
【請求項８】
音声を出力する音声出力手段と、
出力される上記音声の音量を測定する音量測定手段とをさらに備え、
上記取得手段は、測定された上記音量に基づき上記消費電力を算出することにより、当該音量における上記消費電力に関する情報を取得することを特徴とする請求項１〜７のいずれか１項に記載の表示装置。
【請求項９】
上記表示手段は、上記表示用の情報をグラフにして表示することを特徴とする請求項１〜８のいずれか１項に記載の表示装置。
【請求項１０】
コンテンツを取得するコンテンツ取得手段をさらに備え、
上記表示手段は、上記コンテンツに上記表示用の情報を重ね合わせて表示することを特徴とする請求項１〜９のいずれか１項に記載の表示装置。
【請求項１１】
上記コンテンツ取得手段は、放送波、通信ネットワーク、外部記憶装置、内部記憶装置および記録メディアの少なくともいずれかを通じて、上記コンテンツを取得することを特徴とする請求項１０に記載の表示装置。
【請求項１２】
自装置における消費電力に関する情報を取得する取得ステップと、
上記消費電力に関する情報を表示用の情報に変換する変換ステップと、
上記自装置における所定の機能に応じたパラメータを調整するための調整項目を画面上に表示する調整項目表示ステップと、
表示された上記調整項目に対するユーザによる入力に基づき、当該調整項目に対応する上記パラメータの値を調整するパラメータ値調整ステップと、
上記ユーザによる入力を受付けたとき、調整前の上記パラメータ値に対応する上記表示用の情報と、調整後の上記パラメータ値に対応する上記表示用の情報とを、互いに関連付けて上記画面上に表示する表示ステップとを包含することを特徴とする表示方法。
【請求項１３】
請求項１〜１１のいずれか１項に記載の表示装置を動作させるためのプログラムであって、コンピュータを上記の各手段として機能させるためのプログラム。
【請求項１４】
請求項１３に記載のプログラムを記録しているコンピュータ読取可能な記録媒体。
【発明の詳細な説明】
【技術分野】
【０００１】
本発明は、消費電力に関する情報を表示する表示装置、表示方法、プログラムおよび記録媒体に関する。
【背景技術】
【０００２】
近年、地球温暖化等の環境問題が一般に認識されるようになり、人々にエコの意識が浸透してきている。京都議定書においても、各国における二酸化炭素を含む温室効果ガスの削減目標が設定されている。
【０００３】
一方、テレビの大型化・高画質化に伴い、機器の消費電力量は増加する傾向にある。そのため、大画面における高画質な画像の表示を維持すると共に、電力の消費を抑えた省電力型のテレビの開発が望まれている。また、視聴中のテレビにおける消費電力量が表示される技術も望まれている。
【０００４】
例えば、特許文献１には、テレビの画面上または家庭内の表示装置に、家庭内の各種電気機器において消費される電力量を表示する消費電力量表示装置が開示されている。
【０００５】
また、特許文献２には、テレビジョン受像機において、ユーザが使用中の消費電力または消費電力低減スイッチを操作することによって、どの程度消費電力が低減したかを陰極線管の画面上に定量的に表示する消費電力レベル表示装置が開示されている。
【先行技術文献】
【特許文献】
【０００６】
【特許文献１】特開２００２−４００５５号公報（２００２年２月６日公開）
【特許文献２】特開平７−２１２６６６号公報（１９９５年８月１１日公開）
【発明の概要】
【発明が解決しようとする課題】
【０００７】
しかし、特許文献１の技術では、家屋内に設置される各種機器の消費電力を表示することによってユーザに省エネに対する啓蒙を行なうが、ユーザが各種機器をどのように設定することにより消費電力が軽減されるのかを把握することができない。そのため、ユーザは自分の行動がどの程度省エネに対して効果があるのかを認識し難い。
【０００８】
また、特許文献２の技術では、ユーザの操作により、テレビにおける消費電力がどの程度低減されるかを表示する具体的な方法は記載されていない。
【０００９】
このように、従来の技術では、テレビ等の装置を使用する一般のユーザが、自らの設定変更によって消費電力を低減したいと考えた場合であっても、当該装置におけるどの設定を変更すれば消費電力が低減できるか把握することができない。
【００１０】
本発明は、上記の課題に鑑みてなされたものであり、その目的は、ユーザの設定による消費電力の変化を、ユーザに容易に把握させることができる表示装置を提供することにある。
【課題を解決するための手段】
【００１１】
本発明に係る表示装置は、上記の課題を解決するために、
自装置における消費電力に関する情報を取得する取得手段と、
上記消費電力に関する情報を表示用の情報に変換する変換手段と、
上記自装置における所定の機能に応じたパラメータを調整するための調整項目を画面上に表示する調整項目表示手段と、
表示された上記調整項目に対するユーザによる入力に基づき、当該調整項目に対応する上記パラメータの値を調整するパラメータ値調整手段と、
上記ユーザによる入力を受付けたとき、調整前の上記パラメータ値に対応する上記表示用の情報と、調整後の上記パラメータ値に対応する上記表示用の情報とを、互いに関連付けて上記画面上に表示する表示手段とを備えていることを特徴としている。
【００１２】
また、本発明に係る表示方法は、上記の課題を解決するために、
自装置における消費電力に関する情報を取得する取得ステップと、
上記消費電力に関する情報を表示用の情報に変換する変換ステップと、
上記自装置における所定の機能に応じたパラメータを調整するための調整項目を画面上に表示する調整項目表示ステップと、
表示された上記調整項目に対するユーザによる入力に基づき、当該調整項目に対応する上記パラメータの値を調整するパラメータ値調整ステップと、
上記ユーザによる入力を受付けたとき、調整前の上記パラメータ値に対応する上記表示用の情報と、調整後の上記パラメータ値に対応する上記表示用の情報とを、互いに関連付けて上記画面上に表示する表示ステップとを包含することを特徴としている。
【００１３】
上記の構成によれば、本発明の表示装置は、自装置における消費電力の変化を表示する装置である。具体的には、自装置における所定の機能に応じたパラメータを調整するための調整項目をＯＳＤ（Ｏｎ  Ｓｃｒｅｅｎ  Ｄｉｓｐｌａｙ）表示すると共に、自装置における消費電力に関する情報を取得し、当該情報を表示用の情報に変換して表示する。
【００１４】
本明細書において、「消費電力に関する情報」とは、表示装置の動作中に消費される電力量に関する情報が意図される。また、「表示用の情報」とは、消費電力に関する情報を表示用に変換した情報が意図され、例えばグラフ等、消費電力量が視覚的に把握できる表示形態に変換された情報である。
【００１５】
ここで、所定の機能に応じたパラメータに対するユーザの調整入力を受付けたとき、表示装置では、調整前のパラメータ値に対応する表示用の情報と、調整後のパラメータ値に対応する表示用の情報とを、互いに関連付けて画面上に表示する。すなわち、ユーザが表示されている調整項目を見ながらパラメータを調整するとき、調整前後のパラメータ値に対応する表示用の情報がさらに表示される。そのため、ユーザが任意の調整項目に対応するパラメータ値を調整することにより、当該調整項目ではパラメータ値の増減によってどの程度消費電力が変化するかを目で確認することができる。
【００１６】
つまり、ユーザが選択した任意の調整項目においてパラメータ値を調整したとき、例えばグラフで表される表示用の情報に変化が見られない場合、ユーザは、選択した調整項目では自ら設定を変更しても消費電力に変化がないことを理解することができる。一方、表示用の情報に変化が見られた場合、ユーザは、選択した調整項目では自らの操作によって消費電力が変わり、パラメータ値をどの程度調整すれば消費電力の低減に繋がるかを理解することができる。
【００１７】
このように、本発明に係る表示装置では、ユーザによる調整を受付ける調整項目と共に、パラメータ値調整前後の表示用の情報をそれぞれ表示するため、ユーザの設定による消費電力の変化を、ユーザに容易に把握させることができる。よって、表示装置の操作に詳しくないユーザであっても、容易に消費電力の低減に繋がるような設定を行なうことが可能であり、エコな設定を促すことができる。
【００１８】
また、本発明に係る表示装置では、
取得した上記消費電力に関する情報に基づき、ある一定期間における二酸化炭素の排出量に関する情報を取得する排出量取得手段をさらに備え、
上記表示手段は、取得された上記二酸化炭素の排出量に関する情報を関連情報としてさらに表示することが好ましい。
【００１９】
上記の構成によれば、消費電力を二酸化炭素の排出量に関連付けて把握することができるので、よりユーザのエコの意識を高めることができる。
【００２０】
また、本発明に係る表示装置では、
取得した上記消費電力に関する情報を累積記憶する記憶手段と、
累積記憶された上記消費電力に関する情報から、累積の消費電力量を求める累積消費電力量算出手段とを備え、
上記表示手段は、上記累積の消費電力量を関連情報としてさらに表示することが好ましい。
【００２１】
上記の構成によれば、ユーザのエコの意識をさらに高める効果が得られ、ユーザに自らエコな設定または使用を促す効果が期待できる。
【００２２】
また、本発明に係る表示装置では、
ある一定期間に上記自装置において消費される消費電力量の目標値の設定を受付ける設定受付手段を備え、
上記表示手段は、上記ある一定期間内における上記累積の消費電力量が、設定された上記目標値を超える場合、当該目標値を超えることを説明するための説明情報をさらに表示することが好ましい。
【００２３】
上記の構成によれば、ある一定期間における消費電力量の目標値を、ユーザまたは予め表示装置に設定させておき、当該期間内における累積の消費電力量が目標値を超える場合、目標値が超えることを説明する説明情報を表示する。これにより、ユーザにさらにエコな設定を促すことができる。
【００２４】
また、本発明に係る表示装置では、
上記ある一定期間内における上記累積の消費電力量が、設定された上記目標値を超えた場合、上記消費電力量が低減するよう上記自装置における動作を制御する制御手段をさらに備えていることが好ましい。
【００２５】
これにより、ユーザは自ら設定を変更する手間が省け、省エネを実現し易い。
【００２６】
また、本発明に係る表示装置では、
上記表示手段は、起動時に上記関連情報を表示することが好ましい。
【００２７】
上記の構成によれば、起動時に表示される黒画面時間を減らすことができる。また、関連情報として、例えば累積の稼動時間または累積の消費電力量を表示することにより、ユーザのエコに対する意識をさらに高める効果が得られ、ユーザに自らエコな設定または使用を促す効果が期待できる。
【００２８】
また、本発明に係る表示装置では、
上記画面の輝度を測定する輝度測定手段をさらに備え、
上記取得手段は、測定された上記輝度に基づき上記消費電力を算出することにより、当該輝度における上記消費電力に関する情報を取得することが好ましい。
【００２９】
また、本発明に係る表示装置では、
音声を出力する音声出力手段と、
出力される上記音声の音量を測定する音量測定手段とをさらに備え、
上記取得手段は、測定された上記音量に基づき上記消費電力を算出することにより、当該音量における上記消費電力に関する情報を取得することが好ましい。
【００３０】
上記の構成によれば、表示装置は、画面の輝度、または出力される音声の音量から消費電力に関する情報を取得することができる。
【００３１】
また、本発明に係る表示装置では、
上記表示手段は、上記表示用の情報をグラフにして表示することが好ましい。
【００３２】
上記の構成によれば、表示装置における消費電力の値を示す表示用の情報をグラフにして表示するので、例えば数字等により表示する場合と比較して、一見して消費電力の増減を認識することができる。
【００３３】
また、本発明に係る表示装置では、
コンテンツを取得するコンテンツ取得手段をさらに備え、
上記表示手段は、上記コンテンツに上記表示用の情報を重ね合わせて表示することが好ましい。
【００３４】
上記の構成によれば、コンテンツを取得するコンテンツ取得手段をさらに備えている。また、表示手段は取得したコンテンツに表示用の情報を組み合わせて表示する。これにより、ユーザはコンテンツを視聴しながら、自装置における消費電力を確認することができる。
【００３５】
また、本発明に係る表示装置では、
上記コンテンツ取得手段は、放送波、通信ネットワーク、外部記憶装置、内部記憶装置および記録メディアの少なくともいずれかを通じて、上記コンテンツを取得することが好ましい。
【００３６】
上記の構成によれば、表示装置は、様々な取得先からコンテンツを取得することができる。
【００３７】
なお、本発明に係る表示装置は、コンピュータによって実現してもよい。この場合、コンピュータを上記各手段として動作させることにより表示装置をコンピュータにおいて実現するプログラム、およびそのプログラムを記録したコンピュータ読み取り可能な記録媒体も、本発明の範疇に入る。
【発明の効果】
【００３８】
本発明に係る表示装置は、自装置における消費電力に関する情報を取得する取得手段と、上記消費電力に関する情報を表示用の情報に変換する変換手段と、上記自装置における所定の機能に応じたパラメータを調整するための調整項目を画面上に表示する調整項目表示手段と、表示された上記調整項目に対するユーザによる入力に基づき、当該調整項目に対応する上記パラメータの値を調整するパラメータ値調整手段と、上記ユーザによる入力を受付けたとき、調整前の上記パラメータ値に対応する上記表示用の情報と、調整後の上記パラメータ値に対応する上記表示用の情報とを、互いに関連付けて上記画面上に表示する表示手段とを備えているので、ユーザの設定による消費電力の変化を、ユーザに容易に把握させることができる。
【図面の簡単な説明】
【００３９】
【図１】本発明の一実施形態に係る表示装置の構成を示すブロック図である。
【図２】本発明の一実施形態に係る表示装置における画面の表示例を示す図である。
【図３】本発明の一実施形態に係る表示装置における画面の他の表示例を示す図である。
【図４】本発明の一実施形態に係る表示装置における画面の他の表示例を示す図である。
【図５】本発明の一実施形態に係る表示装置における画面の他の表示例を示す図である。
【図６】本発明の一実施形態に係る表示装置における消費電力情報の表示例を示す図である。
【図７】本発明の一実施形態に係る表示装置における関連情報の表示例を示す図である。
【発明を実施するための形態】
【００４０】
本発明に係る表示装置の一実施形態について、図１〜７を参照して以下に説明する。なお、以下に示す表示装置１は、テレビジョン受像機である例を示すが、本発明はこれに限定されるものではなく、様々な表示装置に適用可能である。
【００４１】
（表示装置１の構成）
図１は、本実施形態に係る表示装置１の構成を示すブロック図である。図１に示すように、表示装置１は、入力部（コンテンツ取得手段）２０、チューナー２１、外部入力部２２、セレクタ２３、出力制御部３０、表示出力制御部３１、音声出力制御部３２、ユーザ入力受付部２、表示情報作成部３、制御部（制御手段、パラメータ値調整手段）４０、消費電力情報作成部５０、消費電力情報取得部（取得手段）５１、消費電力情報変換部（変換手段）５２、消費電力情報記憶部（記憶手段）５３、累積消費電力量算出部（累積消費電力量算出手段）５４、出力部６０、表示部（調整項目表示手段、表示手段）６１、バックライト６２、音声出力部（音声出力手段）６３、アンプ６４、測定部７０、輝度測定部（輝度測定手段）７１、音量測定部（音量測定手段）７２、ＣＯ２（二酸化炭素）排出量取得部（排出量取得手段）４を備えている。
【００４２】
表示装置１は、自装置における消費電力の変化を表示する装置である。具体的には、自装置における所定の機能に応じたパラメータを調整するための調整項目をＯＳＤ（Ｏｎ  Ｓｃｒｅｅｎ  Ｄｉｓｐｌａｙ）表示すると共に、自装置における消費電力に関する情報を取得し、当該情報を表示用の情報に変換して表示する。
【００４３】
本明細書において、「消費電力に関する情報」とは、表示装置１の動作中に消費される電力量に関する情報が意図される。また、「表示用の情報」とは、消費電力に関する情報を表示用に変換した情報が意図され、例えばグラフ等、消費電力量が視覚的に把握できる表示形態に変換された情報である。
【００４４】
ここで、所定の機能に応じたパラメータに対するユーザの調整入力を受付けたとき、表示装置１では、調整前のパラメータ値に対応する表示用の情報と、調整後のパラメータ値に対応する表示用の情報とを、互いに関連付けて画面上に表示する。すなわち、ユーザが表示されている調整項目を見ながらパラメータの値を調整するとき、調整前後のパラメータ値に対応する表示用の情報がさらに表示される。ユーザが任意の調整項目に対応するパラメータ値を調整することにより、当該調整項目ではパラメータ値の増減によってどの程度消費電力が変化するかを目で確認することができる。
【００４５】
つまり、ユーザが選択した任意の調整項目においてパラメータ値を調整したとき、例えばグラフで表される表示用の情報に変化が見られない場合、ユーザは、選択した調整項目では自ら設定を変更しても消費電力に変化がないことを理解することができる。一方、表示用の情報に変化が見られた場合、ユーザは、選択した調整項目では自らの操作によって消費電力が変わり、パラメータ値をどの程度調整すれば消費電力の低減に繋がるかを理解することができる。
【００４６】
このように、表示装置１では、ユーザによる調整を受付ける調整項目と共に、パラメータ値調整前後の表示用の情報をそれぞれ表示するため、ユーザの設定による消費電力の変化を、ユーザに容易に把握させることができる。よって、表示装置１の操作に詳しくないユーザであっても、容易に消費電力の低減に繋がるような設定を行なうことが可能であり、エコな設定を促すことができる。
【００４７】
入力部２０は、チューナー２１、外部入力部２２およびセレクタ２３を含み、アンテナ５または外部機器６等からコンテンツを取得する。このコンテンツは、映像データおよび音声データを含んでおり、他にも、例えば番組情報等の様々なデータを含む。
【００４８】
チューナー２１は、アンテナ５を通じて放送波を受信し、復号することによってコンテンツを取得している。例えば、地上デジタル放送を受信した場合、チューナー２１は、所望のチャンネルを選局し、復調処理または誤り処理を行ない、放送局から送出されたＴＳ（トランスポート・ストリーム）を抽出する。その後、多重化されているＴＳを目的別に分離し、映像データおよび音声データを復号し、これらデータを、セレクタ２３を介して出力制御部３０へ出力する。
【００４９】
外部入力部２２は、例えば通信ネットワーク、外部記憶装置、内部記憶装置および記録メディア等の外部機器６を通じてコンテンツを取得する。外部機器６としては、例えば、ハードディスク、ＢＤ（Ｂｌｕ−ｒａｙ  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリ等が挙げられる。外部入力部２２は、外部機器６から所望のコンテンツを取得し、取得したコンテンツを、セレクタ２３を介して出力制御部３０へ出力する。
【００５０】
出力制御部３０は、表示出力制御部３１および音声出力制御部３２を含み、入力部２０から取得した映像データおよび音声データを、出力用のデータに処理して出力部６０へ出力する。
【００５１】
表示出力制御部３１は、取得した映像データを処理し、表示部６１において最終的に表示する映像または画像を構築する。具体的には、表示出力制御部３１は、例えば表示装置１の設定画面、選択しているチャンネルまたは時刻等の情報、自装置における複数の機能に応じたパラメータを調整するための調整項目、または自装置における消費電力情報等の画像データを、取得した映像データに重ね合わせて映像を構築し、表示部６１へ出力する。
【００５２】
音声出力制御部３２は、入力部２０から取得した音声データを、アンプ６４において増幅可能な信号形式に変換処理し、音声出力部６３へ出力する。
【００５３】
ユーザ入力受付部２は、ユーザの直接の操作またはリモコン７を介した操作による入力を受付ける。ユーザの操作としては、例えば、チャンネルの変更、音量の調節、録画機能の設定等を含み、さらに上述した調整項目として表示されている各パラメータの調整も含む。
【００５４】
表示情報作成部３は、表示出力制御部３１において映像データに重ね合わせて表示される情報を作成する。この表示情報としては、例えば、表示装置１の設定画面情報、チャンネルまたは時刻等の情報、調整項目情報、およびある一定期間における二酸化炭素の排出量に関する情報を含む。
【００５５】
制御部４０は、表示装置１における各種動作を制御する。制御部４０は、ＣＰＵ（中央演算装置）等のＬＳＩ（大規模集積回路）またはメモリ、および当該メモリに記憶されてそれぞれの機能を実行するプログラムにより実現される。また、制御部４０は、画面上に表示された調整項目に対するユーザによる入力を受付けたとき、当該調整項目に対応するパラメータの値を調整する。
【００５６】
消費電力情報作成部５０は、消費電力情報取得部５１、消費電力情報変換部５２、消費電力情報記憶部５３および累積消費電力量算出部５４を含み、消費電力に関する情報を取得すると共に、当該情報を表示用の情報に変換する。
【００５７】
消費電力情報取得部５１は、表示装置１における消費電力に関する情報を取得する。具体的には、後述する測定部７０において測定される所定の機能のパラメータ値に基づき、当該機能における消費電力量を算出する。この算出を表示装置１における複数の機能に対して行なうことにより、表示装置１全体における消費電力量を求め、消費電力に関する情報を取得する。消費電力の算出には、例えばテーブルまたは換算式を用いればよい。
【００５８】
また、消費電力情報取得部５１は、例えば単位時間ごとに消費電力に関する情報を取得してもよい。この単位時間とは特に限定されるものではなく、任意の間隔を用いればよい。このように取得した情報を、後述する消費電力情報記憶部５３に記憶させておくことにより、累積の消費電力量を求めることができる。
【００５９】
なお、表示装置１における複数の機能のうち、一般的に消費電力量が多い機能としてはバックライト６２の輝度値またはアンプ６４の音量値が挙げられる。しかし、表示装置１全体における消費電力量として、消費電力量を求める対象となる機能はこれに限定されるものではなく、例えば、映像出力における各調整項目、音声出力における各調整項目、ＬＡＮまたは外部メモリ等の外部機器との接続状態、搭載しているチューナー２１の数、ＢＤ内蔵形態における、ＢＤユニットの電源のＯｎ／Ｏｆｆあるいはディスク挿入の有無、その他表示装置１における各設定等、様々な項目が挙げられる。消費電力情報取得部５１は、取得した消費電力に関する情報を、消費電力情報変換部５２または消費電力情報記憶部５３に出力する。
【００６０】
消費電力情報変換部５２は、消費電力情報取得部５１が取得した消費電力に関する情報を、表示用の情報に変換する。この表示用の情報は、例えば、消費電力量を棒グラフまたは円グラフ等の画像データにより表してもよい。このように、表示装置１における消費電力量をグラフにして表示すれば、例えば数字等により表示する場合と比較して、一見して消費電力の増減を認識することができる。表示用の情報は、他にも消費電力量の変化が視覚的に認識可能な形態で表示すればよい。消費電力情報変換部５２は作成した表示用の情報を、制御部４０を介して出力制御部３０へ出力する。
【００６１】
消費電力情報記憶部５３は、消費電力情報取得部５１が取得した消費電力に関する情報を累積記憶する。消費電力情報記憶部５３の構成としては、特に限定されるものではなく、例えばＲＡＭ（ｒａｎｄｏｍ  ａｃｃｅｓｓ  ｍｅｍｏｒｙ）やＨＤＤ（ハードディスクドライブ）により構成すればよい。また、消費電力情報記憶部５３は、表示装置１に内蔵されているが、外付けの記憶装置を用いてもよい。
【００６２】
累積消費電力量算出部５４は、消費電力情報記憶部５３が累積記憶している消費電力に関する情報から、累積の消費電力量を求める。また、求めた累積の消費電力量は、例えば関連情報としてさらに表示され得る。
【００６３】
出力部６０は、表示部６１および音声出力部６３を含み、出力制御部３０から取得した出力用の映像データおよび音声データを外部へ出力する。
【００６４】
表示部６１は、表示出力制御部３１から取得した出力用の映像データを外部へ出力する。表示部６１の出力先としては、例えば液晶ディスプレイ、有機ＥＬディスプレイまたはプラズマディスプレイ等であり、当該映像データに基づく映像を表示させる。また、バックライト６２はこれらディスプレイの照明手段として機能する。
【００６５】
音声出力部６３は、音声出力制御部３２から取得した出力用の音声データをアンプ６４によって増幅し、スピーカ（図示せず）を通して外部へ出力する。
【００６６】
測定部７０は、表示装置１における所定の機能に応じたパラメータの値を測定する。例えば、本実施形態に示すように、輝度測定部７１および音量測定部７２を備え、バックライト６２の輝度値およびスピーカから出力される音量値を測定すればよいが、これに限定されるものではなく、表示装置１のその他の機能に応じたパラメータの値を測定してもよい。
【００６７】
ＣＯ２排出量取得部４は、消費電力情報取得部５１が取得した消費電力に関する情報に基づき、ある一定期間における二酸化炭素の排出量に関する情報を取得する。二酸化炭素の排出量に関する情報とは、表示装置１における二酸化炭素の排出量であればよいが、他にも、例えば表示装置１における二酸化炭素の排出量と、従来の表示装置における二酸化炭素の排出量とを比較して導き出した、従来の表示装置に対する二酸化炭素削減量を含む。ＣＯ２排出量取得部４は、取得した二酸化炭素の排出量に関する情報を表示情報作成部３へ出力する。
【００６８】
（表示装置１の動作）
次に、本実施形態に係る表示装置１の動作について図２を参照して説明する。図２は、表示装置１における画面の表示例を示す図である。ここでは、表示装置１において設定画面が表示されており、当該設定画面がユーザによる映像出力の設定を受付可能な映像調整モードが選択されている場合について説明する。
【００６９】
まず、ユーザがリモコン７を通じて映像調整モードを選択すると、表示部６１は映像調整モード時に表示される映像調整画面Ａ１をディスプレイ上に表示する。このとき、映像調整画面Ａ１には、画面上部の調整項目表示領域Ａ２に調整項目が配置されていると共に、画面右下の消費電力表示領域Ａ４には表示用の情報が配置されている。具体的には、調整項目表示領域Ａ２には「バックライト」「コントラスト」「明暗」「色合い」「画質」などの項目が調整可能にＯＳＤ表示され、消費電力表示領域Ａ４には、表示用の情報として表示装置１における消費電力量を表す棒グラフが２つ並べて表示されている。しかし、映像調整モードにおける調整項目はこれらに限定されるものではなく、表示用の情報は棒グラフに限定されない。
【００７０】
この状態において、ユーザがカーソル（図２中網掛けで示す）を操作して「バックライト」の項目に合わせた場合、「バックライト」のパラメータが調整可能となる。この「バックライト」の項目はバックライト６２の輝度値を表すパラメータであり、調整値幅は−１６〜＋１６まで設定可能である。このパラメータに対するユーザの入力をユーザ入力受付部２が受付けると、入力信号を、制御部４０を介して表示出力制御部３１へ出力する。この入力信号に基づき、表示出力制御部３１が「バックライト」のパラメータを示す調整バーＡ３の黒アイコンを移動させると共に、制御部４０がバックライト６２を制御する。
【００７１】
このように、ユーザはリモコン７を通じて調整バーＡ３に示す黒アイコンを操作することによって、所望の調整値（図２では「＋５」）に設定することができる。同様に、他の項目についても、調整値幅の範囲内において設定可能である。なお、「コントラスト」の調整値は「＋３０」、「明暗」の調整値は「０」、「色合い」の調整値は「０」、「画質」の調整値は「＋２」に設定されている。
【００７２】
一方、消費電力情報取得部５１は、パラメータに対するユーザの入力を受付けたとき、調整後のパラメータ値に対応する消費電力に関する情報を取得し、取得した当該情報を消費電力情報変換部５２が表示用の情報に変換する。
【００７３】
例えば、ユーザが「バックライト」のパラメータを調整した場合、消費電力情報取得部５１は輝度測定部７１において測定される調整後のバックライト６２の輝度値に基づき、当該輝度値における消費電力量を算出する。次に、消費電力情報取得部５１は算出した輝度値における消費電力量から相対的に表示装置１全体の消費電力量を求め、消費電力に関する情報を取得する。その後、消費電力情報変換部５２は、取得した調整後の消費電力に関する情報を表示用の情報に変換し、制御部４０を介して表示出力制御部３１へ出力する。
【００７４】
このとき、消費電力表示領域Ａ２には調整前のパラメータ値に対応する表示用の情報と、さらに前のパラメータ値に対応する表示用の情報とが表示されているが、新たに取得した消費電力に関する情報が表示用の情報に変換されると、表示部６１はパラメータ値調整前の表示用の情報を図２に示すグラフＡ５として表示し、パラメータ値調整後の表示用の情報をグラフＡ６として表示する。
【００７５】
すなわち、新たに変換されたパラメータ値調整後の表示用の情報が表示出力制御部３１へ出力されると、表示出力制御部３１はパラメータ値調整後の表示用の情報と、既に取得済のパラメータ値調整前の表示用の情報とが、消費電力表示領域Ａ４に並べて配置されるように画像データを構築する。表示部６１は構築された画像データに基づき、画面上に画像を表示する。
【００７６】
このように、表示装置１ではユーザにより設定可能な調整項目の表示中に、当該調整項目のパラメータ値に対する、調整前後の消費電力量を比較表示する。そのため、ユーザはパラメータの値を調整しながら、調整したパラメータ値に対応する消費電力量がどのように変化するかを一目で理解することができる。したがって、ユーザはどの設定を変更すれば消費電力を下げることができるかを容易に把握することが可能であり、エコの意識を高めることができる。
【００７７】
なお、図２に示す映像調整画面Ａ１では映像が表示されていないが、例えば、映像調整モードであっても入力部２０が取得したコンテンツを出力制御部３０において処理し、表示部６１が当該コンテンツに含まれる映像と、調整項目および表示用の情報とを重ね合わせた映像データを出力してもよい。すなわち、映像調整画面Ａ１では背景に映像を表示させた状態で、調整項目および表示用の情報を表示させることが可能である。
【００７８】
また、表示用の情報は、ユーザが表示装置１の表示画面にいずれかの設定画面を表示させたとき、またはいずれかの調整項目が調整されているとき常に表示されるようにしてもよいし、ユーザが任意に表示用の情報を表示させるように設定可能にしてもよい。
【００７９】
（他の調整モードにおける表示例）
上記においては映像調整モードが設定されている場合について説明したが、他の調整モードに設定されている場合にも同様に、ユーザによる設定を受付ける調整項目および表示用の情報を表示することができる。図３は、表示装置１における画面の他の表示例を示す図である。
【００８０】
例えば、表示装置１における設定画面がユーザによる音声出力の設定を受付可能な音声調整モードが選択されている場合、図３に示すように音声調整画面Ｂ１が表示される。この音声調整画面Ｂ１の右下には、映像調整モードと同様に消費電力表示領域Ｂ３が配置されていると共に、音声調整画面Ｂ１の下部には音量を調整するための調整バーＢ２が配置されている。
【００８１】
この状態において、ユーザがリモコン７等を通じて音量値を操作すると、調整バーＢ２における塗りつぶし領域（図３では白が占める領域）が移動し、所望の調整値（図３では「１１」）に設定することができる。
【００８２】
なお、音声調整画面Ｂ１における調整項目は、図３に示すように音量を調整するための調整バーＢ２のみが表示されている形態に限定されるものではなく、映像調整モードにおいて示したように「調整項目表示領域」を配置し、複数の調整項目を表示させてもよい。音声調整に関する調整項目としては、音量の他にも、例えば高音、低音、バランス、サラウンド等の項目を含み得る。
【００８３】
一方、ユーザによる音量値の調整入力を受付けたとき、消費電力情報取得部５１は音量測定部７２において測定される調整後の音量値に基づき、当該音量値における消費電力量を算出する。次に、消費電力情報取得部５１は算出した音量値における消費電力量から相対的に表示装置１全体の消費電力量を求め、消費電力に関する情報を取得する。その後、消費電力情報変換部５２は、取得した調整後の消費電力に関する情報を表示用の情報に変換し、制御部４０を介して表示出力制御部３１へ出力する。
【００８４】
このとき、消費電力表示領域Ｂ３には調整前のパラメータ値に対応する表示用の情報と、さらに前のパラメータ値に対応する表示用の情報とが表示されているが、新たに取得した消費電力に関する情報が表示用の情報に変換されると、表示部６１はパラメータ値調整前の表示用の情報は図３に示すグラフＢ４として表示し、パラメータ値調整後の表示用の情報はグラフＢ５として表示する。
【００８５】
このように、消費電力表示領域Ｂ３に表示される消費電力情報のグラフＢ４，Ｂ５は、ユーザがリモコン７を通じて調整バーＢ２の値を調整するのと連動して変化する。よって、ユーザは自らの音量設定操作により消費電力がどの程度変化するかを容易に把握することができる。
【００８６】
なお、表示装置１では、映像調整モードおよび音声調整モード以外にも、例えば、図４に示すように、ＢＤ内蔵形態においてディスクの挿入・取出しを設定するモード、または図５に示すようにＢＤユニットの電源を設定するモードにおいても、消費電力情報Ｅ３，Ｆ３を併せて表示することが可能である。図４は、ディスクの挿入・取出し設定時における画面の表示例を示す図であり、図５は、ＢＤユニットの電源のＯｎ／Ｏｆｆ設定時における画面の表示例を示す図である。この他にも、例えば、ＬＡＮまたは外部メモリ等の外部機器との接続状態を切り替えるモード、または搭載しているチューナー２１の接続状態を切り替えるモード等においても、消費電力情報を併せて表示することが可能である。したがって、ユーザは表示装置１においてどのような操作をすることにより、どの程度電力が消費されるかを把握することができる。
【００８７】
（消費電力の算出）
ここで、表示装置１における消費電力の算出方法について説明する。
【００８８】
まず、音声出力部６３においてアンプ６４から出力される音声の音量調整値から音量が占める消費電力を求める。音量測定部７２は、アンプ６４が音声を出力している状態のとき、設定された音量調整値において音声信号の電力量を一定時間測定し、音声信号平均電力を算出する。その後、音量測定部７２は音量調整値を最小値から最大値に可変し、最小値における音声信号平均電力と最大値における音声信号平均電力とをそれぞれ算出する。
【００８９】
ここで、音量測定部７２は、例えばアンプ６４の消費電力推定用のテーブルを備えていてもよい。例えば、このテーブルでは、音量調整値を最小値にしたときの音声信号平均電力、音量調整値を最大値にしたときの音声信号平均電力、および音声処理回路全体の消費電力のデータを保存している。なお、音声処理回路全体の消費電力とは、例えば音声出力部６３の入力端子部（図示せず）における電力値（電流値×電圧値）に相当し得る。音量測定部７２は、このテーブルに保存されたデータを用いて、音声処理回路、すなわち音声出力部６３における消費電力を求めることができる。求めた消費電力は、消費電力情報取得部５１へ出力される。
【００９０】
次に、表示部６１におけるバックライト６２の輝度調整値から輝度が占める消費電力を求める。輝度測定部７１は、設定されたバックライト６２の輝度調整値ごとに計測した消費電力をテーブルとして保存しており、表示部６１が映像を出力している状態のとき、現在の映像から最適な輝度設定値を算出し、その輝度設定値に対応した消費電力をテーブルより算出することにより、バックライト６２における消費電力を求める。求めた消費電力は、消費電力情報取得部５１へ出力される。
【００９１】
また、他の調整項目における消費電力についてもそれぞれ求め、消費電力情報取得部５１は、これら全ての消費電力を加算することにより、表示装置１全体の消費電力量を算出する。
【００９２】
（関連情報の表示）
表示装置１では、表示用の情報と共に、その他の情報を関連情報として表示することができる。
【００９３】
図６は、表示装置１の画面上の消費電力表示領域における他の表示例を示す図である。ここで、消費電力表示領域Ｃ１には、任意の調整項目に対応するパラメータ値調整前の表示用の情報を表すグラフＣ２、および当該パラメータ値調整後の表示用の情報を表すグラフＣ３が表示されている。
【００９４】
また、消費電力表示領域Ｃ１には、表示用の情報に加え、パラメータ値調整前後のグラフＣ２，Ｃ３にそれぞれ対応する関連情報が関連情報表示領域Ｃ４に表示されている。
【００９５】
ここで、関連情報とは、あるパラメータ値に対応する情報が意図され、例えば「消費電力」「電気料金」「ＣＯ２削減量」に関する情報が挙げられる。
【００９６】
図６において、「消費電力」は、単位時間当たり消費される電力量を表し、パラメータ値調整前の消費電力量は「１００ｋＷ／ｈ」であり、パラメータ値調整後の消費電力量は「８０ｋＷ／ｈ」であることを示す。また、「電気料金」は、ユーザの使用地域に応じて設定された電気料金に基づき、単位時間当たりかかる電気料金を表し、パラメータ値調整前の電気料金は「１０円／ｈ」であり、パラメータ値調整後の電気料金は「８円／ｈ」であることを示す。また、「ＣＯ２削減量」は、表示装置１における二酸化炭素の排出量と、従来の表示装置における二酸化炭素の排出量とを比較して導き出した、従来の表示装置に対する二酸化炭素削減量を表し、パラメータ値調整前の二酸化炭素削減量は「−２ｋｇ」であり、パラメータ値調整後の電気料金は「−２．４ｋｇ」であることを示す。
【００９７】
ＣＯ２削減量の算出方法としては、例えばテーブルまたは換算式を用いて求めればよい。例えば、換算式を用いて二酸化炭素排出量を算出してから、ＣＯ２削減量を求める場合、二酸化炭素排出量（ｋｇ）は、累積消費電力量（Ｗｈ）に排出係数（ｋｇ−ＣＯ２／ｋＷｈ）を乗ずることによって求め得る。すなわち、二酸化炭素排出量（ｋｇ）＝累積消費電力量（Ｗｈ）×排出係数（ｋｇ−ＣＯ２／ｋＷｈ）／１，０００という式が成り立つ。なお、排出係数（ｋｇ−ＣＯ２／ｋＷｈ）は、一般的に使用される地域によって異なるため、ユーザの使用地域に応じて適宜設定すればよい。このように求めた二酸化炭素排出量からＣＯ２削減量を求め、関連情報表示領域Ｃ４に表示させる。
【００９８】
また、関連情報としては、例えば図７に示す関連情報表示領域Ｄ１のように、他の項目を表示させてもよい。図７は、関連情報表示領域の他の表示例を示す図である。関連情報表示領域Ｄ１において、領域Ｄ２には「累積稼動時間」「今月の使用時間」「平均月使用時間」「消費電力目標」「消費電力見込み」「今月の電気料金見込み」「今月のＣＯ２削減量見込み」という項目が表示されている。
【００９９】
図７において、「今月の使用時間」とは、月初めから現在に至るまで表示装置１を稼動させた積算時間が意図され、ここでは「３０ｈ」である。「平均月使用時間」とは、表示装置１において月毎に使用した時間を平均化した時間が意図され、ここでは「６０ｈ」である。「消費電力目標」とは、ある一定期間に表示装置１において消費される消費電力量を設定した目標値であり、図示しない設定受付手段がこの設定を受付ける。ここでは、「消費電力目標」は「１５ｋＷｈ」である。また、「消費電力見込み」とは、今月の使用時間に基づき導き出した見込みの消費電力量が意図され、ここでは「１６ｋＷｈ」である。「今月の電気料金見込み」とは、消費電力見込みから換算したその月の見込みの電気料金が意図され、ここでは「６００円」である。「今月のＣＯ２削減量見込み」とは、消費電力見込みから換算したその月の見込みのＣＯ２削減量が意図され、ここでは「−２０ｋｇ」である。なお、この他にも、例えば消費電力情報記憶部５３に累積保存した消費電力量に関する情報等を表示させてもよい。
【０１００】
このように、表示装置１では消費電力に関する様々な情報を付加的に表示することができる。なお、関連情報表示領域Ｄ１を配置する位置は、図６に示すように消費電力表示領域内に限定されず、任意の位置に表示させることができる。
【０１０１】
また、表示装置１では、ある一定期間内における累積の消費電力量が、設定された目標値を超える場合、当該目標値を超えることを説明するための説明情報をさらに表示してもよい。例えば、ユーザが消費電力の目標値を「１５ｋＷｈ」と設定した場合、消費電力見込みが当該目標値を超えそうな場合、図７の説明情報表示領域Ｄ３に、調光設定を下げることを提案するようなアドバイスを表示させてもよい。なお、消費電力の目標値は、ユーザにより任意に設定されてもよいし、予め表示装置１において設定されていてもよい。これにより、ユーザにさらにエコな設定を促すことができる。
【０１０２】
さらに、ある一定期間内における累積の消費電力量が、設定された目標値を超えた場合、消費電力量が低減するよう表示装置１における動作を制御してもよい。例えば、ユーザが一月当たりの消費電力量を設定し、累積の消費電力量が目標値を超えた場合、自動的に設定を変更して電気料金を抑えるように制御してもよい。これにより、ユーザは自ら設定を変更する手間が省け、省エネを実現し易い。
【０１０３】
また、表示装置１の起動時に、累積稼動時間または累積保存した消費電力に関する情報等の関連情報を表示させてもよい。これにより、起動時に表示される黒画面時間を減らすことができると共に、起動時に累積保存した消費電力に関する情報を表示することにより、ユーザのエコの意識をさらに高める効果が得られ、ユーザに自らエコな設定または使用を促す効果が期待できる。
【０１０４】
（プログラムおよび記録媒体）
最後に、表示装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１０５】
すなわち、表示装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１０６】
この構成により、本発明の目的は、所定の記録媒体によっても、達成できる。この記録媒体は、上述した機能を実現するソフトウェアである表示装置１の制御プログラムのプログラムコード（実行形式プログラム、中間コードプログラム、ソースプログラム）をコンピュータで読み取り可能に記録していればよい。表示装置１にこの記録媒体を供給する。これにより、コンピュータとしての表示装置１（またはＣＰＵやＭＰＵ）が、供給された記録媒体に記録されているプログラムコードを読み出し、実行すればよい。
【０１０７】
プログラムコードを表示装置１に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１０８】
また、表示装置１を、通信ネットワークと接続可能に構成しても、本発明の目的を達成できる。この場合、上記のプログラムコードを、通信ネットワークを介して表示装置１に供給する。この通信ネットワークは、表示装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１０９】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１１】
本発明は、省エネの意識を高めることを目的とする各種表示装置に利用することが可能であり、例えば、液晶テレビ、プラズマテレビ、ＢＤ内蔵テレビもしくは有機ＥＬテレビ等、またはパソコン等に適用可能である。
【符号の説明】
【０１１２】
１      表示装置
２      ユーザ入力受付部
３      表示情報作成部
４      ＣＯ２排出量取得部（排出量取得手段）
２０    入力部（コンテンツ取得手段）
２１    チューナー
２２    外部入力部
２３    セレクタ
３０    出力制御部
３１    表示出力制御部
３２    音声出力制御部
４０    制御部（制御手段、パラメータ値調整手段）
５０    消費電力情報作成部
５１    消費電力情報取得部（取得手段）
５２    消費電力情報変換部（変換手段）
５３    消費電力情報記憶部（記憶手段）
５４    累積消費電力量算出部（累積消費電力量算出手段）
６０    出力部
６１    表示部（調整項目表示手段、表示手段）
６２    バックライト
６３    音声出力部（音声出力手段）
６４    アンプ
７０    測定部
７１    輝度測定部（輝度測定手段）
７２    音量測定部（音量測定手段）
【図１】
2011133571.tif 000003
【図２】
2011133571.tif 000004
【図３】
2011133571.tif 000005
【図４】
2011133571.tif 000006
【図５】
2011133571.tif 000007
【図６】
2011133571.tif 000008
【図７】
2011133571.tif 000009